(57)【要約】      （修正有）【課題】ロープ全長のうち使用しない部分がどれだけ残っていても、その位置でロープがロープ巻付部に固定されるようなロープ収束具を提供する。【解決手段】ロープ収束具は、取っ手（２）と、この取っ手（２）から突出する左右板状体（３１，３２）からなる巻付部（３）から構成される。前記左右板状体（３１，３２）の間は隙間（５）となっている。前記隙間（５）において太幅部分（５１）と細幅部分（５２）が交互に形成されている。例えば、隙間の太幅部分がギザギザの長寸部分であり、細幅部分がギザギザの短寸部分である。【選択図】図１
2008007265.tif 000002
【特許請求の範囲】
【請求項１】
取っ手（２）と、この取っ手（２）から突出する左右板状体（３１，３２；３１Ａ，３２Ａ；３１Ｂ，３２Ｂ；３１Ｃ，３２Ｃ；３１Ｄ，３２Ｄ）からなる巻付部（３，３Ａ，３Ｂ，３Ｃ，３Ｄ）から構成され、前記左右板状体（３１，３２；３１Ａ，３２Ａ；３１Ｂ，３２Ｂ；３１Ｃ，３２Ｃ；３１Ｄ，３２Ｄ）の間は隙間（５，５Ａ，５Ｂ，５Ｃ，５Ｄ）となっているロープ収束具（１）であって、
前記隙間（５，５Ａ，５Ｂ，５Ｃ，５Ｄ）において、太幅部分（５１，５１Ａ，５１Ｂ，５１Ｃ，５１Ｄ）と細幅部分（５２，５２Ａ，５２Ｂ，５２Ｃ，５２Ｄ）が交互に形成されていることを特徴とするロープ収束具（１）。
【請求項２】
前記太幅部分（５１，５１Ａ，５１Ｂ，５１Ｃ，５１Ｄ）はロープ（６）の太さよりも広く、前記細幅部分（５２，５２Ａ，５２Ｂ，５２Ｃ，５２Ｄ）はロープ（６）の太さよりも細いものである請求項１記載のロープ収束具。
【請求項３】
前記隙間（５）が複数の矢尻を取っ手方向に向けて並べて形成したようなギザギザであり、太幅部分（５１）が矢尻の底部であり、細幅部分（５２）が矢尻の先端部である請求項１記載のロープ収束具。
【請求項４】
前記隙間（５１）が長寸四角形（５１Ａ）と短寸四角形（５２Ａ）を交互に並べて形成したものであり、太幅部分が長寸の四角形部分であり、細幅部分が短寸の四角形部分である請求項１記載のロープ収束具。
【請求項５】
前記隙間が円を一部重ねながら並べて形成したものであり、太幅部分が円の長寸部分（５１Ｂ）であり、細幅部分が円の短寸部分（５２Ｂ）である請求項１記載のロープ収束具。
【請求項６】
前記隙間が直角三角形を一部重ねながら並べて形成したものであり、太幅部分が直角三角形の底部（５１Ｃ）であり、細幅部分が直角三角形の先端部（５２Ｃ）である請求項１記載のロープ収束具。
【請求項７】
前記隙間（５Ｄ）は、ロープ（６）を巻き付けたときに、ロープの締め付け力により、前記太幅部分（５１Ｄ）がロープ（６）の太さよりも広く、前記細幅部分（５２Ｄ）がロープ（６）の太さよりも細くなるものである請求項１記載のロープ収束具。
【請求項８】
請求項１ないし７の何れかに記載のロープ収束具（１）を使用してロープ（６）を収束させる方法であって、
ロープ（６）の末端（６１）を前記巻付部（３，３Ａ，３Ｂ，３Ｃ，３Ｄ）に固定し、そこを起点として前記左右板状体（３１，３２；３１Ａ，３２Ａ；３１Ｂ，３２Ｂ；３１Ｃ，３２Ｃ，３１Ｄ，３２Ｄ）にこのロープを巻き付けていき、
数周回ごとにロープ（６）を前記隙間（５，５Ａ，５Ｂ，５Ｃ，５Ｄ）に挿入し、前記太幅部分（５１，５１Ａ，５１Ｂ，５１Ｃ，５１Ｄ）で固定し、
続いて巻き始めるときには、今度は、今までとは逆方向に前記左右板状体（３１，３２；３１Ａ，３２Ａ；３１Ｂ，３２Ｂ；３１Ｃ，３２Ｃ；３１Ｄ，３２Ｄ）に巻き付けていく
ことを特徴とするロープ収束方法。
【発明の詳細な説明】
【技術分野】
【０００１】
本発明は、ロープ収束具及びそれを使用したロープ収束方法に関する。本発明は、例えば、海、川、池などの水場に投げ込んで水を汲むための水汲みバケツ用ロープを巻きつけて収納するのに用いることができる。
【背景技術】
【０００２】
近年、釣りや森林浴等のアウトドア活動が盛んになって、自然に親しむ人が増えている。そのような活動において、水が必要なとき、海、川、池などの水場から水を汲むことがある。そのようなとき、地形によっては海、川、池等の水場から離れた場所から汲まなければならない。例えば、岩場や防波堤等の水面よりもかなり高い場所において釣りを行うにあたって、餌として用いる冷凍されたオキアミ等を解凍したり、手を洗ったり、釣った魚を生かしておいたりするために必要となる水を汲む場合、水面に近い場所まで移動するような煩わしい手間をかけることなくその場で容易に水を汲めることが望ましい。
【０００３】
下記特許文献１は、そのような目的に適した水汲みバケツの発明を開示している。この従来技術は、投入紐の一端をバケツ本体に取りつけると共に他端を把手に取りつけてなる水汲みバケツであって、不使用時には投入紐を巻き付けた状態で投入紐を安定して保持し、使用時には投入紐を容易にほどくことができるようにしたものである。
【０００４】
この従来技術においては、把手部と投入紐が巻き付けられる紐巻部とからなる把手を使用する。把手の紐巻部は、把手部から突設される一対の紐巻体を有する。一対の紐巻体の間は空隙の緩衝部であり、紐巻部の外径は先端側に行くに従って大きくなる。
【特許文献１】特許第３２４７８８０号
【発明の開示】
【発明が解決しようとする課題】
【０００５】
上記従来技術において、不使用時等に紐の末端を固定するのは、紐巻体の間にある紐挟み部である。しかし、この紐挟み部は、紐が紐巻部に十分巻き付けられて、その圧力により前記空隙が小さくならないと使用できないように思われる。すなわち、紐の完全な不使用時にしかこの紐挟み部は役に立たないようである。
【０００６】
ところが、実際のアウトドア環境では、バケツを投げ入れる場所と水面までの距離が千差万別であり、例えば、紐は５ｍ分用意されているのに、２ｍ分しか使用しないというようなこともある。そのようなとき、使用しない３ｍ分は巻いたままにしておくのが好ましいが、このような中途半端な紐の端部は上記従来技術においてはしっかりと固定できず、だんだんほどけていくことになる。
【０００７】
また、上記従来技術における巻付け方法では、紐巻体に対して一定方向に巻き付けるため、ロープに撚り、くせ、ねじれが発生しており、最後にバケツを回転させてねじれを取っていた。
【０００８】
本発明は、ロープ（紐）全長のうち使用しない部分がどれだけ残っていても、その位置でロープが紐巻き体に固定されるようなロープ収束具を提供することを目的とする。また、巻き上げたときにロープに緩みや撚り、くせ、ねじれが発生しないような収束方法を提供することを目的とする。
【課題を解決するための手段】
【０００９】
本発明のロープ収束具は、取っ手と、この取っ手から突出する左右板状体からなる巻付部から構成され、前記左右板状体の間は隙間となっているロープ収束具であって、前記隙間において太幅部分と細幅部分が交互に形成されていることを特徴とする。
【００１０】
本発明のロープ収束方法は、前記ロープ収束具を使用してロープを収束させる方法であって、ロープの末端を巻付部に固定し、そこを起点として左右板状体に巻き付けていき、数周回ごとにロープを隙間に挿入し、前記太幅部分で固定し、続いて巻き始めるときには、今度は、今までとは逆方向に左右板状体に巻き付けていくことを特徴とする。
【発明の効果】
【００１１】
本発明のロープ収束具は、太幅部分と細幅部分が交互に形成されている隙間を有するので、ロープを左右板状体に巻き付けていくとき、数周回ごとにロープを隙間に挿入し、この太幅部分で固定することができる。太幅部分の前後には細幅部分があるため、その位置でロープはほどけることなく、安定的に固定される。
【００１２】
また、本発明のロープ収束方法によれば、数周回ごとにロープを隙間に挿入すると共に、前記太幅部分で固定し、続いて巻き始めるときには、今度は、今までとは逆方向に左右板状体に巻き付けるので、巻き付けたロープが不用意にゆるむことがない。また、途中からロープの巻き方向を変えることで、ロープに撚り、くせ、ねじれが発生するのを防止することができる。その結果、ロープが絡まったり、結び目ができたりするのを防ぐことができる。
【発明を実施するための最良の形態】
【００１３】
隙間の太幅部分と細幅部分の形状はさまざまに変更することができる。例えば次のような形状を採用することができる。その他、さまざまな変形例がありうる。要するに必要なことは、太幅部分はロープの太さよりも広く、細幅部分はロープの太さよりも細いものであることである。
【００１４】
（１）隙間が複数の矢尻を取っ手方向に向けて並べて形成したようなギザギザであり、太幅部分が矢尻の底部であり、細幅部分が矢尻の先端部であるもの
（２）隙間が長寸四角形と短寸四角形を交互に並べて形成したものであり、太幅部分が長寸の四角形部分であり、細幅部分が短寸の四角形部分であるもの
（３）隙間が円を一部重ねながら並べて形成したものであり、太幅部分が円の長寸部分であり、細幅部分が円の短寸部分であるもの
（４）隙間が直角三角形を一部重ねながら並べて形成したものであり、太幅部分が直角三角形の底部であり、細幅部分が直角三角形の先端部であるもの
（５）隙間が、ロープを巻き付けていないときには前記（１）〜（４）よりも広いが、ロープを巻き付けたときにはその締め付け力により前記（１）〜（４）と同じ状態となるもの
【実施例１】
【００１５】
以下、添付の図面に基づき、本発明の実施例を説明する。
【００１６】
図１は、本発明のロープ収束具１の正面図である。水汲みバケツ７用のロープ６を処理するために使用するとき、図３のような外観を示す。
【００１７】
図１において、このロープ収束具１は、取っ手２と巻付部３からなる。取っ手２は楕円リング状の部分であり、手の内側で滑らないように、複数の切り込みからなる滑り止め２１が施されている。
【００１８】
巻付部３は取っ手２から突出する左右２枚の板状体３１，３２からなり、その間は隙間５となっている。左右板状体３１，３２は、先端に近づくに従い横幅が増大しており、その厚みは、周辺部３３，３４でやや厚く、周辺部を除く大部分３５，３６で比較的に薄くなっている。左右板状体３１，３２の、隙間に面している側にはギザギザ３７，３８が形成されている。そのため、隙間は取っ手方向に向けられた複数の矢尻を並べて形成したような形状となっている。左右板状体３１，３２の間の隙間５は、矢尻の底部に当たる太幅部分５１と矢尻の先端部に当たる細幅部分５２が交互に現れる。太幅部分５１はロープ６の太さよりも広く、細幅部分５２はロープ６の太さよりも細い。左側板状体３１の取っ手側にはロープ固定用の孔３９が設けられている。
【００１９】
この巻付部３にロープ６を巻き付けるには、まず板状体３１の孔３９を使用してロープ６の末端６１を取り付け、そこを起点として左右板状体３１，３２に巻き付けていく。例えば、図２（ａ）に示すように、５周回ごとにロープ６を隙間５に挿入する。ロープは、図１の矢印方向に進むとき、太幅部分５１は容易に通過するが、細幅部分５２では抵抗を受け、自ら変形しながら進行する。最終的に、できるだけ取っ手２に近い側の太幅部分５１で止まり、そこで固定される（図２（ａ）参照）。
【００２０】
続いて巻き始めるときには、今度は、今までとは逆方向に左右板状体３１，３２に巻き付けていくのが好ましい（図２（ｂ）参照）。そのようにすることにより、ロープ同士が絡まる可能性が低くなると共にロープに緩みが発生しにくくなる。
【００２１】
このようにして、ロープ６を全部収束させると、図３のような状態となる。この状態では、見かけはすべて一方向に巻付部３に巻かれているように見えるが、実際は、例えば１ｍおきにロープ６は隙間５の太幅部分５１に固定されると共に、そこから向きを変えて巻かれている。
【００２２】
この状態から、ロープをほどいていくには、収束させるときと逆の手順によればよい。冒頭に出した例のように、紐は５ｍ分巻き上げられているが、２ｍ分しか使用しないというような場合、２ｍ分使用したとき手を離せば、ほぼその位置でロープ６は隙間の太幅部分５１に固定されているので、その位置でロープはほどけることがない。
【実施例２】
【００２３】
図４（ａ）は、ロープ収束具の第２実施例である。第１実施例と異なるのは、左右板状体３１Ａ，３２Ａの間の隙間５Ａの形状である。この例では、隙間５Ａは長寸四角形と短寸四角形を交互に並べて形成したものであり、太幅部分５１Ａは長寸の四角形部分であり、細幅部分５２Ａは短寸の四角形部分である。
【実施例３】
【００２４】
図４（ｂ）は、ロープ収束具の第３実施例である。第１実施例と異なるのは、左右板状体３１Ｂ，３２Ｂの間の隙間５Ｂの形状である。この例では、隙間５Ｂは円を一部重ねながら並べて形成したものであり、太幅部分５１Ｂは円の長寸部分であり、細幅部分５２Ｂは円の短寸部分である。
【実施例４】
【００２５】
図４（ｃ）は、ロープ収束具の第３実施例である。第１実施例と異なるのは、左右板状体３１Ｃ，３２Ｃの間の隙間５Ｃの形状である。この例では、隙間５Ｃが直角三角形を一部重ねながら並べて形成したものであり、太幅部分５１Ｃが直角三角形の底部であり、細幅部分５２Ｃが直角三角形の先端部である。
【実施例５】
【００２６】
図５はロープ収束具の第４実施例であり、（ａ）はロープを巻き付けていないとき、（ｂ）はロープを巻き付けたときの正面図である。外観は実施例３（図４（ｂ））とよく似ているが、図５（ａ）の状態のときには隙間５Ｄがやや広い。ロープを巻き付けていくと、ロープの締め付け力により、隙間が縮まり、実施例３（図４（ｂ））の状態となる。使用方法は、前記各実施例と同じである。
【図面の簡単な説明】
【００２７】
【図１】本発明のロープ収束具１の正面図である。
【図２】（ａ）（ｂ）は、ロープ収束方法を示すロープ収束具１の正面図である。
【図３】ロープを巻き上げた状態のロープ収束具と汲み上げ用バケツの正面図である。
【図４】（ａ）は、ロープ収束具の第２実施例、（ｂ）は、ロープ収束具の第３実施例、（ｃ）は、ロープ収束具の第４実施例である。
【図５】ロープ収束具の第４実施例であり、（ａ）はロープを巻き付けていないとき、（ｂ）はロープを巻き付けたときの正面図である。
【符号の説明】
【００２８】
１     ロープ収束具
２     取っ手
３，３Ａ，３Ｂ，３Ｃ，３Ｄ  巻付部
３１，３２；３１Ａ，３２Ａ；３１Ｂ，３２Ｂ；３１Ｃ，３２Ｃ  左右板状体
５，５Ａ，５Ｂ，５Ｃ，５Ｄ  隙間
５１，５１Ａ，５１Ｂ，５１Ｃ，５１Ｄ      太幅部分
５２，５２Ａ，５２Ｂ，５２Ｃ，５２Ｄ      細幅部分
６     ロープ
【図１】
2008007265.tif 000003
【図２】
2008007265.tif 000004
【図３】
2008007265.tif 000005
【図４】
2008007265.tif 000006
【図５】
2008007265.tif 000007